(57)【特許請求の範囲】
【請求項１】
少なくとも電力供給用導線を含む複数の導線が内部に配設され内周面が金属部を絶縁するための絶縁体で被覆されたハウジングを有した配線ダクトと、この配線ダクトの長手方向に形成された開口部に取り付けられる配線ダクトカバーとを備え、前記ハウジングの外周面の一つである設置面が被設置面に設置される配線ダクトシステムにおいて、
前記配線ダクトカバーは、前記開口部の中央長手方向に沿って前記設置面に対して垂直な面を持ち、電波干渉を抑制する金属板を有し、
前記複数の導線は、前記金属板を挟んでその両側に前記配線ダクトの長手方向に沿って各々配列されていることを特徴とする配線ダクトシステム。
【請求項２】
前記複数の導線は、その並び方向が前記設置面に垂直な方向に位置するものが対となり、
前記配線ダクトカバーの金属板は、少なくとも下方に位置する導線に対向する位置に延びていることを特徴とする請求項１記載の配線ダクトシステム。
【請求項３】
前記配線ダクトのハウジングの金属部と前記配線ダクトカバーの金属板とが電気的に接続されることを特徴とする請求項１又は請求項２に記載の配線ダクトシステム。
【請求項４】
前記配線ダクトは、前記ハウジングの金属部の一部が外面に露出しており、
前記配線ダクトカバーは、前記金属板の一部が外面に露出しており、
前記外部に露出した金属部と金属板とが接することで両者が電気的に接続されることを特徴とする請求項３記載の配線ダクトシステム。
【請求項５】
前記複数の配線ダクトを互いに連結するためのダクト連結部材を備え、
前記ダクト連結部材は、前記互いに連結する配線ダクトの金属部同士を電気的に接続する連結金属部材と、前記配線ダクトカバーの金属板及び前記配線ダクトの金属部を接続する金属製の固定部材とを有することを特徴とする請求項３記載の配線ダクトシステム。
【請求項６】
前記配線ダクトの終端部に装着されるダクト終端部材を備え、
前記ダクト終端部材は、前記配線ダクトの金属部及び前記配線ダクトカバーの金属板を電気的に接続する連結金属部材と、前記配線ダクトカバーの金属板及び前記配線ダクトの金属部を接続する金属製の固定部材とを有することを特徴とする請求項３記載の配線ダクトシステム。
【請求項７】
前記配線ダクトの始端部に装着されるダクト始端部材を備え、
前記ダクト始端部材は、前記配線ダクトの金属部及び前記配線ダクトカバーの金属板を電気的に接続する連結金属板と、前記配線ダクトカバーの金属板及び前記配線ダクトの金属部を接続する金属製の固定部材とを有することを特徴とする請求項３記載の配線ダクトシステム。
【請求項８】
前記配線ダクトカバーは、前記配線ダクトの開口部の端部に係止する係止部を有することを特徴とする請求項１乃至請求項７のいずれか一項に記載の配線ダクトシステム。
【請求項９】
前記配線ダクトカバーは、前記配線ダクトの前記ハウジングの外郭上部に係止する係止部を有することを特徴とする請求項１乃至請求項７のいずれか一項に記載の配線ダクトシステム。
【請求項１０】
前記配線ダクトカバーは、前記配線ダクトの長手方向端部から前記ハウジング内部に挿入され、前記下方に位置する導線と前記開口部との間に構成された溝により保持されることを特徴とする請求項２乃至請求項７のいずれか一項に記載の配線ダクトシステム。
【請求項１１】
前記配線ダクトカバーは、前記配線ダクトに電気機器のプラグを取り付けるときに用いられる開口部を有することを特徴とする請求項１乃至請求項１０のいずれか一項に記載の配線ダクトシステム。
【請求項１２】
請求項１１に記載の配線ダクトシステムにおける配線ダクト及び配線ダクトカバーに対して取り付けることができるプラグ。
【発明の詳細な説明】
【技術分野】
【０００１】
本発明は、壁面や天井面に沿って設置され、所望の位置に配線器具が取り付けられる配線ダクト、及びこの配線ダクトの開口部に取り付ける配線ダクトカバーを備える配線ダクトシステムに関する。
【背景技術】
【０００２】
従来より、工場や店舗や事務所の屋内において、天井に配線ダクトを敷設して、配線ダクトシステムを設けることが知られている。この配線ダクトシステムでは、空間に応じたフレキシブルで自由度の高い照明演出が可能となり、様々な照明器具や他の電気器具の電源を任意の位置から取り出すことができ、また照明器具や電気機器のプラグの取り付けや取り外しも容易となる。
【０００３】
この配線ダクトシステムに用いられる配線ダクトは、例えば、電力供給用の２つの導線により構成される電極対を備え、この電極対に照明器具や動力器具等の電気機器が接続されることにより、電気機器に電力が供給される。そして、近年においては電力配線の他に、１つの配線ダクト内に電力供給用配線と信号線配線とを備えた配線ダクトが知られている（例えば、特許文献１参照）。また、電力供給用配線を原因とする誘導ノイズが通信用配線に発生することを抑制するための間隔が電力供給用配線と通信用配線との間に設けられた配線ダクトが知られている（例えば、特許文献２参照）。
【先行技術文献】
【特許文献】
【０００４】
【特許文献１】米国特許第６，２７４，８１７号
【特許文献２】特願２００９−２０９２５号公報
【発明の概要】
【発明が解決しようとする課題】
【０００５】
しかしながら、上記従来の配線ダクトの筐体内に電極対を２つ配設した４芯配線ダクトや、電力供給用導線と通信用配線とを配設した配線ダクトなどでは、配線ダクト自体の小型化が要求されているため各配線間の距離が比較的近接することとなる。この結果、電流や信号線に信号を伝送すると各配線間で互いの影響（対間干渉）を受けて、電力供給用配線から発する誘導磁界を原因とするノイズが通信用配線など他の配線に発生し、通信品質が低下するという問題がある。
【０００６】
本発明は、上記課題に鑑みてなされたものであり、複数の導線を内部に配設する配線ダクトを用いる場合にも、簡易的に、導線間の伝送信号の干渉を抑制することができる配線ダクトシステムを提供することを目的とする。
【課題を解決するための手段】
【０００７】
上記目的を達成するために本発明は、少なくとも電力供給用導線を含む複数の導線が内部に配設され内周面が金属部を絶縁するための絶縁体で被覆されたハウジングを有した配線ダクトと、この配線ダクトの長手方向に形成された開口部に取り付けられる配線ダクトカバーとを備え、前記ハウジングの外周面の一つである設置面が被設置面に設置される配線ダクトシステムにおいて、前記配線ダクトカバーは、前記開口部の中央長手方向に沿って前記設置面に対して垂直な面を持ち、電波干渉を抑制する金属板を有し、前記複数の導線は、前記金属板を挟んでその両側に前記配線ダクトの長手方向に沿って各々配列されていることを特徴とする。
【０００８】
この配線ダクトシステムにおいて、前記複数の導線は、その並び方向が前記設置面に垂直な方向に位置するものが対となり、前記配線ダクトカバーの金属板は、少なくとも下方に位置する導線に対向する位置に延びていることが好ましい。
【０００９】
この配線ダクトシステムにおいて、前記配線ダクトのハウジングの金属部と前記配線ダクトカバーの金属板とが電気的に接続されることが好ましい。
【００１０】
この配線ダクトシステムにおいて、前記配線ダクトは、前記ハウジングの金属部の一部が外面に露出しており、前記配線ダクトカバーは、前記金属板の一部が外面に露出しており、前記外部に露出した金属部と金属板とが接することで両者が電気的に接続されることが好ましい。
【００１１】
この配線ダクトシステムにおいて、前記複数の配線ダクトを互いに連結するためのダクト連結部材を備え、前記ダクト連結部材は、前記互いに連結する配線ダクトの金属部同士を電気的に接続する連結金属部材と、前記配線ダクトカバーの金属板及び前記配線ダクトの金属部を接続する金属製の固定部材とを有することが好ましい。
【００１２】
この配線ダクトシステムにおいて、前記配線ダクトの終端部に装着されるダクト終端部材を備え、前記ダクト終端部材は、前記配線ダクトの金属部及び前記配線ダクトカバーの金属板を電気的に接続する連結金属部材と、前記配線ダクトカバーの金属板及び前記配線ダクトの金属部を接続する金属製の固定部材とを有することが好ましい。
【００１３】
この配線ダクトシステムにおいて、前記配線ダクトの始端部に装着されるダクト始端部材を備え、前記ダクト始端部材は、前記配線ダクトの金属部及び前記配線ダクトカバーの金属板を電気的に接続する連結金属板と、前記配線ダクトカバーの金属板及び前記配線ダクトの金属部を接続する金属製の固定部材とを有することが好ましい。
【００１４】
この配線ダクトシステムにおいて、前記配線ダクトカバーは、前記配線ダクトの開口部の端部に係止する係止部を有することが好ましい。
【００１５】
この配線ダクトシステムにおいて、前記配線ダクトカバーは、前記配線ダクトの前記ハウジングの外郭上部に係止する係止部を有することが好ましい。
【００１６】
この配線ダクトシステムにおいて、前記配線ダクトカバーは、前記配線ダクトの長手方向端部から前記ハウジング内部に挿入され、前記下方に位置する導線と前記開口部との間に構成された溝により保持されることが好ましい。
【００１７】
この配線ダクトシステムにおいて、前記配線ダクトに電気機器のプラグを取り付けるときに用いられる開口部を有することが好ましい。
【００１８】
また、本発明は請求項１１に記載の配線ダクトシステムにおける配線ダクト及び配線ダクトカバーに対して取り付けることができるプラグであることを特徴とする。
【発明の効果】
【００１９】
本発明に係る配線ダクトシステムによれば、配線ダクトの開口部に取り付けられる配線ダクトカバーが有する金属板は、配線ダクト内に配列された複数の導線に対して金属遮蔽板として機能する。このため、配線ダクト内に配設される導線が、電力供給用導線と通信用配線のような場合であっても、電力供給用配線から発する誘導磁界を原因とするノイズが通信用配線に発生することを抑制することができる。
【図面の簡単な説明】
【００２０】
【図１】本発明の実施の形態１に係る配線ダクトシステムの全体図である。
【図２】（ａ）同上実施の形態１の配線ダクト及び配線ダクトカバーの斜視図、（ｂ）同上配線ダクト及び配線ダクトカバーの断面図である。
【図３】同上実施の形態１の変形例１に係る配線ダクト及び配線ダクトカバーの断面図である。
【図４】（ａ）同上実施の形態１の変形例２に係る配線ダクトの斜視図、（ｂ）同上配線ダクト及び配線ダクトカバーの斜視図、（ｃ）同上配線ダクト及び配線ダクトカバーの断面図である。
【図５】（ａ）同上実施の形態１の変形例３に係る配線ダクト及び配線ダクトカバーの断面図、（ｂ）同上配線ダクト及び配線ダクトカバーの斜視図、（ｃ）同上配線ダクト及び配線ダクトカバーの接合時の斜視図である。
【図６】本発明の実施の形態２に係る配線ダクトシステムの斜視図である。
【図７】（ａ）同上実施の形態２に係る配線ダクトシステムの全体図、（ｂ）同上実施の形態２の配線ダクト連結部における底面図、（ｃ）同上配線ダクト連結部の斜視図である。
【図８】同上配線ダクト連結部の側面からの断面図である。
【図９】（ａ）同上実施の形態２の変形例に係る配線ダクトシステムの全体図、（ｂ）同上変形例に係る配線ダクトの終端部における底面図、（ｃ）同上変形例に係るフィードイン接続部材又はエンド接続部材の斜視図である。
【図１０】（ａ）同上変形例に係るフィードイン接続部の側面からの断面図、（ｂ）同上変形例に係るエンド接続部の側面からの断面図である。
【図１１】（ａ）本発明の実施の形態３に係る配線ダクト及び配線ダクトカバーの断面図、（ｂ）同上配線ダクト及び配線ダクトカバーの斜視図である。
【図１２】（ａ）本発明の実施の形態４に係る配線ダクト及び配線ダクトカバーの斜視図、（ｂ）同上配線ダクト及び配線ダクトカバーの底面側からの斜視図である。
【図１３】（ａ）同上配線ダクトカバーの斜視図、（ｂ）同上配線ダクトカバーの平面図、（ｃ）同上配線ダクトカバーの側面図、（ｄ）同上配線ダクトカバーの底面図である。
【図１４】（ａ）同上配線ダクトカバー及び同上実施の形態２に係るプラグの接続状態の説明図、（ｂ）同上プラグの斜視図、（ｃ）同上プラグの斜視図である。
【図１５】同上実施の形態４に係る配線ダクトに取り付けられた照明器具の外観図である。
【発明を実施するための形態】
【００２１】
（実施の形態１）
本発明の実施の形態１に係る配線ダクトシステムＳについて図面を参照して説明する。図１に示すように、工場や店舗などの屋内における天井や壁等の設置面（図示略）に敷設される配線ダクト１は、所定の直線方向（以下、長手方向Ｌ）に延びた成形体である。具体的には、配線ダクト１は、長手方向Ｌの寸法が例えば１〜３ｍである直線状の成形体である。
【００２２】
配線ダクト１のハウジングは、図２に示すように、金属材料からなる金属部１０と、金属部１０の周囲に設けられた絶縁樹脂からなる絶縁体１１とを備えている。金属部１０及び絶縁体１１は、長手方向Ｌに沿って延びている。配線ダクト１は例えば高さ１．８ｍ越の場所などに取り付けられる。
【００２３】
配線ダクト１は、電極対３０，４０を収納する内部空間を有すると共に、この内部空間に連続する開口部１２を有している。所定方向に向けて開口する開口部１２は、長手方向Ｌにおいて延びて設けられている。開口部１２には配線ダクトカバー２が取り付けられると共に、後述する電気機器や通信機器の配線ダクト用プラグが挿入される。なお、配線ダクト１が室内の側壁に設置される場合、開口部１２は横向きに開口する。
【００２４】
配線ダクト１の芯材である金属部１０は、配線ダクト１が設置される設置面に向かい合わせて設けられる基部１３を有している。長手方向Ｌに垂直な断面において左右方向に延びる平板状の基部１３は、長手方向Ｌに沿って延びる。基部１３には貫通孔（不図示）が設けられ、この貫通孔を挿通させたねじを用いて、基部１３を被設置面である天井に締め付けることにより、基部１３が天井に固定されて、配線ダクト１が天井に敷設される。その他、配線ダクト１の設置面への施工方法としては、天井面への埋め込み施工や吊り下げ施工もある。
【００２５】
長手方向Ｌに垂直断面において略四角形の外形を有する金属部１０は、右側に設けられる右側壁部１４と、左側に設けられる左側壁部１５と、上側に設けられる基部１３と向き合うように下側に設けられる対向壁部１６とを備える。
【００２６】
また、金属部１０は、非磁性体の金属材料であるアルミニウムからなるため、例えば、金属部１０が強磁性体である鉄からなる場合に比較して、配線ダクト１の外部への電磁波を遮断できる。
【００２７】
絶縁体１１は、絶縁樹脂で形成され、電極対３０，４０と金属部１０とが接続されないように金属部１０の外周表面を覆うように設けられている。絶縁体１１は、金属部１０の内部において電極対３０，４０を支持している。従って、金属部１０は、電極対３０，４０と絶縁され、電磁シールドとして機能する。絶縁体１１を絶縁樹脂で形成することにより、配線ダクト１を任意の箇所で容易に切断することができフレキシブルで自由度の高い部材とできる。
【００２８】
金属部１０の内部に設けられた複数の電極対３０，４０は、金属板２１を挟んで長手方向Ｌに対して垂直な方向である左右方向において間隔を空けて設けられている。電極対３０は、電極対４０よりも右方に位置するように設けられている。１つの電極対３０は、金属部１０の右側壁部１４に設けられた絶縁体１１によって支持されている２つの導線３１，３２により構成され、その並び方向が設置面に対して垂直な方向になる。長手方向Ｌに延びる導線３１，３２は、長手方向Ｌ及び左右方向に直交する上下方向において間隔を空けて設けられている。即ち、導線３１は、導線３２よりも上方（上方極）に位置するように設けられ、導線３２は、導線３１よりも下方（下方極）に位置するように設けられている。
【００２９】
配線ダクト１の内周には、突起状のリブ１７が形成され、このリブ１７により、複数の配線ダクト連結部に用いるジョイナの配線ダクト１への誤挿入を防止できる。
【００３０】
配線ダクトカバー２は、配線ダクト１の長手方向Ｌに形成された開口部１２に取り付けられて埃などが配線ダクト１の内部空間に侵入することを防ぐ。配線ダクトカバー２は、中央長手方向Ｌに沿って、配線ダクト１の設置面に対して垂直方向に延びる金属板（遮蔽板）２１を有する。この金属板２１は、複数の電極対３０，４０の電磁結合を低減し、複数の電極対３０，４０における電波干渉を効率的に抑制する。
【００３１】
また、配線ダクトカバー２は、金属板２１の外周を覆う絶縁体２２を有し、垂直断面が例えば凸状となり、配線ダクト１の開口部１２の端部に係止するための係止部２３が形成される。この係止部２３は、配線ダクトカバー２を配線ダクト１にワンタッチで容易に接続すると共に、配線ダクトカバー２を配線ダクト１に安定に保持させる。
【００３２】
以上のように、本実施の形態１に係る配線ダクトシステムにおいて、配線ダクトカバー２は、中央長手方向Ｌに沿って配線ダクト１の設置面に対して垂直方向に伸びる金属板２１を有する。この金属板２１は、複数の電極対３０，４０の電磁結合を低減し、複数の電極対３０，４０における電波干渉を効率的に抑制することができる。
【００３３】
（第１の変形例）
本実施の形態の第１の変形例について、図３を参照して説明する。本変形例では、配線ダクトカバー２に形成される金属板２４が、各電極対３０，４０の少なくとも下方極３２，４２に対向する位置まで延びる。従って、配線ダクトカバー２に形成され、複数の電極対３０，４０間に挿入される金属板２４を最小形状として、電極対３０，４０の電磁結合を低減し、複数の電極対３０，４０間における電波干渉を効率的に抑制することができる。また、金属板２４を小さくすることで配線ダクトカバー２の加工がより容易となる。
【００３４】
（第２の変形例）
本実施の形態１の第２の変形例について、図４を参照して説明する。本変形例では、配線ダクトカバー２の金属板２５及び配線ダクト１の金属部１０が電気的に接続される。すなわち、配線ダクト１は、絶縁体１１の一部が切り欠かれて金属部１０が露出した露出面１０ａを下側面に有する。一方、配線ダクトカバー２は、絶縁体２２の一部が切り欠かれて金属板２５が露出した露出面２５ａを上側面に有する。そして、これら露出面１０ａ及び露出面２５ａが接触することで配線ダクトカバー２の金属板２５及び配線ダクト１の金属部１０が電気的に接続される。この構成により、複数の電極対３０，４０によって発生する電磁波を金属部１０の金属及び金属板２５内で対流させて、電波干渉を効率的に抑制することができる。
【００３５】
（第３の変形例）
本実施の形態の第３の変形例について、図５を参照して説明する。本変形例３では、配線ダクトカバー２は、凸形状の金属板２５、及び金属板２５を覆い垂直断面が山字形状となる絶縁体２２を有する。さらに、絶縁体２２には、配線ダクト１の外郭上部に係止する係止部２６が形成されている。この係止部２６は、配線ダクトカバー２を配線ダクト１に容易に接続可能とし配線ダクトカバー２の安定性を向上させる。また、配線ダクトカバー２の保持機能を元々有しない構造の配線ダクト１に対しても配線ダクトカバー２の取り付けが可能となる。
【００３６】
（実施の形態２）
以下、本実施の形態２に係る配線ダクトシステムの構成について図面を参照しながら説明する。なお、上記実施の形態１に係る配線ダクトシステムＳと同様の構成に関しては同様の符号を付し、その詳細な説明は省略する（以下同様とする）。
【００３７】
図６に示すように、配線ダクトシステムＳは、複数の配線ダクト１を互いに接続するためのダクト連結部材６（ジョイナ）を備えている。このダクト連結部材６が長手方向から配線ダクト１に挿入され配線ダクト１と他の配線ダクト１とが接続される。当該接続により、配線ダクト１の各々備える電極対３０，４０も互いに接続される。
【００３８】
配線ダクトシステムＳは、図７（ａ）に示すように、例えば１ｍや２ｍや３ｍなどの定尺サイズの配線ダクト１がダクト連結部材６を用いて連結され、電源の入力端側にフィードイン接続部材７、終端側にエンド接続部材８を設けている。
【００３９】
ダクト連結部材６には、両端に各２箇所のねじ止めが設けられ、図７（ｂ）及び図７（ｃ）に示すように、金属製のネジ６ａを用いて下方側から配線ダクトカバー２及びダクト連結部材６を配線ダクト１に共締めする。この場合、図８に示すように、ネジ６ａの上部（設置面側）は、配線ダクト１に設けられた金属部１０に接触し、下端部（配線ダクトカバー２側）は配線ダクトカバー２の金属板２１に接触する。また、ダクト連結部材６は、連結される配線ダクト１の金属部１０の間を電気的に接続するための連結金属板６ｂを有する。
【００４０】
この構造により、配線ダクトカバー２の金属板２１と、配線ダクト１の金属部１０とがねじ６ａ及び連結金属板６ｂを介して金属接続され、配線ダクト１の連結接続時の遮蔽特性の安定性と配線ダクトカバー２の保持強化を図ることができる。
【００４１】
（第１の変形例）
本実施の形態２の第１の変形例について、図９及び図１０を参照して説明する。本変形例に係る配線ダクトシステムは、始端部において配線ダクト１に電源線を結線するためのフィードイン接続部材７、及び終端部において配線ダクト１に終端抵抗回路８ａを接続するためのエンド接続部材８を備えている。
【００４２】
フィードイン接続部材７は、電源線７ｄを速結端子に差し込むだけで簡単に電源と接続できる構造を有し、図１０（ａ）に示すように、配線ダクト１の金属部１０及び配線ダクトカバー２の金属板２１を電気的に接続するための連結金属板７ｃを有する。また、金属製のねじ７ｂ（固定部材）を用いて、フィードイン接続部材７及び配線ダクトカバー２を配線ダクト１に下方側から共締めする。このねじ７ｂの上端部（設置面側）は、配線ダクト１に設けられた金属部１０に接触し、配線ダクトカバー２の金属板２１と配線ダクト１の金属部１０とが金属製のねじ７ｂを介して電気的に接続される。
【００４３】
一方、図１０（ｂ）に示すように、エンド接続部材８も配線ダクト１の金属部１０及び配線ダクトカバー２の金属板２１を電気的に接続する連結金属板８ｃを有する。また、金属製のねじ８ｂ（固定部材）を用いて、エンド接続部材８及び配線ダクトカバー２を配線ダクト１に下方側から共締めする。このねじ８ｂの上端部（設置面側）は、配線ダクト１に設けられた金属部１０に接触する長さを有し、配線ダクトカバー２の金属板２１と配線ダクト１の金属部１０とがねじ８ｂを介して電気的に接続される。
【００４４】
この構成により、伝送路の短い配線ダクトシステムＳの始端部や終端部において、複数の電極対３０，４０間に挿入される金属板２１と配線ダクト１の金属部１０との金属的な接続を確実に図り、複数の電極対３０，４０間における電波干渉を効率的に抑制することができる。
【００４５】
（実施の形態３）
以下、本実施の形態３に係る配線ダクトシステムの構成について図面を参照しながら説明する。図１１に示すように、配線ダクトカバー５０は、配線ダクト１の端部から金属部１０の内部に長手方向Ｌに沿って挿入され、配線ダクトカバー５０の底面は、電極対３０，４０の下方極３２，４２と開口部１２との間に形成された溝５１において保持される。この構造により、配線ダクトカバー５０の配線ダクト１への固定、及び配線ダクトカバー５０の保持の簡略化や安定化を図ることができる。
【００４６】
（実施の形態４）
以下、本実施の形態４に係る配線ダクトシステムの構成について図面を参照しながら説明する。図１２及び図１３に示すように、配線ダクトカバー２には、少なくとも１以上の開口部６１が形成され、配線ダクト１に照明器具などの電気機器の接続用プラグを取り付ける際に取り外し可能となる樹脂カバー６０が各開口部６１に取り付けられる。なお、配線ダクトカバー２に開口部６１のみ形成され樹脂カバー６０を有しない形態も考えられる。
【００４７】
図１４及び図１５に示すように、配線ダクト１に電気機器７０を取り付ける際には、樹脂カバー６０を剥がし、電気機器７０のプラグ（接続端子）７１と同一サイズ以上の開口部６１に電気機器７０のプラグ７１を挿入する。このプラグ７１には、配線ダクトカバー２の形状に合わせて、図１５（ｂ）及び（ｃ）に示すような凹部７２が形成される。配線ダクト１の長さ１ｍあたり例えば最大２０ｋｇの電気機器７０を取り付けることができる。
【００４８】
このため、本実施の形態４では、配線ダクトカバー２にプラグ７１を接続できる開口部６１を設け、配線ダクトカバー２の配置を調整することなく電気機器７０のプラグ７１を任意の箇所に接続できる。なお、本発明は、上記実施の形態の構成に限られず、発明の趣旨を変更しない範囲で種々の変形が可能である。
【符号の説明】
【００４９】
Ｓ  配線ダクトシステム
１  配線ダクト
２  配線ダクトカバー
６  配線ダクト連結部材
７  フィードイン接続部材
８  エンド接続部材
１０  金属部
１１，２２  絶縁体
１２  開口部
２１，２５  金属板
２３，２６  係止部
３０，４０  電極対
３１，４１  上方極
３２，４２  下方極
６０  樹脂カバー
６１  開口部
【図１】
0005611063.tif 000002
【図２】
0005611063.tif 000003
【図３】
0005611063.tif 000004
【図４】
0005611063.tif 000005
【図５】
0005611063.tif 000006
【図６】
0005611063.tif 000007
【図７】
0005611063.tif 000008
【図８】
0005611063.tif 000009
【図９】
0005611063.tif 000010
【図１０】
0005611063.tif 000011
【図１１】
0005611063.tif 000012
【図１２】
0005611063.tif 000013
【図１３】
0005611063.tif 000014
【図１４】
0005611063.tif 000015
【図１５】
0005611063.tif 000016